(57)【要約】【課題】高速に光量を調整することが可能な光源制御装置、光源制御方法、およびこれらを利用したプロジェクタを提供すること。【解決手段】光源制御装置は、コントローラと、複数のドライバとを具備する。前記コントローラは、少なくとも１つの発光部の光量の調整に関する指令値を送信するように構成される。前記複数のドライバは、送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成される。【選択図】図１
2016213171.tif 000002
【特許請求の範囲】
【請求項１】
少なくとも１つの発光部の光量の調整に関する指令値を送信するように構成されたコントローラと、
送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成された複数のドライバと
を具備する光源制御装置。
【請求項２】
請求項１に記載の光源制御装置であって、
前記複数のドライバを構成する個々のドライバは、前記関数として、直線で近似される関数を用いるように構成される
光源制御装置。
【請求項３】
請求項１に記載の光源制御装置であって、
前記複数のドライバを構成する個々のドライバは、前記関数として、複数の駆動領域に対応してそれぞれ設定された複数の関数を用いるように構成される
光源制御装置。
【請求項４】
請求項２に記載の光源制御装置であって、
前記個々のドライバは、前記直線で近似される関数として、複数の駆動領域に対応して設定された複数の直線領域で近似される関数を用いるように構成される
光源制御装置。
【請求項５】
請求項２に記載の光源制御装置であって、
前記個々のドライバは、前記直線の傾き、基準光量、および前記基準光量に対応する基準駆動値を既知パラメータとして、前記関数を用いるように構成される
光源制御装置。
【請求項６】
請求項５に記載の光源制御装置であって、
前記個々のドライバは、前記既知パラメータのうち前記直線の傾きおよび前記基準光量に基づく演算値を、前記コントローラから取得、または予め記憶するように構成される
光源制御装置。
【請求項７】
請求項１に記載の光源制御装置であって、
前記コントローラは、所定の条件に基づき、前記関数を更新するように構成される
光源制御装置。
【請求項８】
請求項１に記載の光源制御装置であって、
前記コントローラは、前記複数のドライバに、前記指令値を同報するように構成される
光源制御装置。
【請求項９】
請求項１に記載の光源制御装置であって、
前記複数のドライバは、
前記発光部のうち第１波長域で発光する複数の発光部をそれぞれ駆動するように構成された複数の第１波長域発光用ドライバと、
前記発光部のうち、前記第１波長域とは異なる第２波長域で発光する複数の発光部をそれぞれ駆動するように構成された複数の第２波長域発光用ドライバとを含み、
前記コントローラは、前記複数の第１波長域発光用ドライバに第１指令値を送信し、前記複数の第１波長域発光用ドライバに第２指令値を送信するように構成される
光源制御装置。
【請求項１０】
請求項１に記載の光源制御装置であって、
前記発光部は、第１発光部と第２発光部とを含み、
前記複数のドライバは、
基準ラインにおける基準電位と、第１ラインにおける、前記基準電位より高い電位との間の電圧を生成して、前記基準ラインと前記第１ラインとの間に接続された前記第１発光部を駆動するように構成され、前記基準ラインおよび前記第１ラインに接続可能な第１ドライバと、
前記基準電位と、第２ラインにおける、前記基準電位より低い電位との間の電圧を生成して、前記基準ラインと前記第２ラインとの間に接続された前記第２発光部を駆動するように構成され、前記基準ラインおよび前記第２ラインに接続可能な第２ドライバとを含む
光源制御装置。
【請求項１１】
請求項１０に記載の光源制御装置であって、
前記第１ドライバおよび前記第２ドライバは、前記基準電位としてゼロボルトの電位を使用するように構成される
光源制御装置。
【請求項１２】
請求項１０に記載の光源制御装置であって、
前記基準電位が一定電位に設定され、
前記第２ドライバは、前記基準電位より低い側の電位を調整することで、前記駆動値を調整するように構成される
光源制御装置。
【請求項１３】
請求項１２に記載の光源制御装置であって、
前記第１ドライバは、前記基準電位より高い側の電位を調整することで、前記駆動値を調整するように構成される
光源制御装置。
【請求項１４】
請求項１０に記載の光源制御装置であって、
前記第１発光部のアノードを前記基準ラインに接続させ、かつ、前記第１発光部のカソードを前記第２ラインに接続させるように、前記第１発光部の接続先を変える変更部
をさらに具備する光源制御装置。
【請求項１５】
請求項１０に記載の光源制御装置であって、
前記第２発光部のカソードを前記基準ラインに接続させ、かつ、前記第２発光部のアノードを前記第１ラインに接続させるように、前記第２発光部の接続先を変える変更部
をさらに具備する光源制御装置。
【請求項１６】
請求項１０に記載の光源制御装置であって、
前記基準ラインのうち、前記コントローラに接続されるライン、および前記複数のドライバに接続されるラインのうち少なくとも一方に設けられた抵抗素子
をさらに具備する光源制御装置。
【請求項１７】
少なくとも１つの発光部の光量の調整に関する指令値をコントローラにより送信し、
送信された前記指令値を複数のドライバによりそれぞれ取得し、
前記発光部ごとに設定された、前記発光部を駆動する駆動値と前記光量との関数を用いて、前記指令値に基づき、前記発光部ごとの前記駆動値を前記複数のドライバによりそれぞれ決定する
光源制御方法。
【請求項１８】
複数の発光部と、
前記複数の発光部からの光を変調する光変調素子と、
前記光変調素子で変調されて得られる変調光を投射する投射光学系と、
前記複数の発光部を構成する個々の発光部の光量の調整に関する指令値を送信するように構成されたコントローラと、
送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成された複数のドライバと
を具備するプロジェクタ。
【請求項１９】
請求項１８に記載のプロジェクタであって、
前記複数の発光部は、
基準ラインと第１ラインとの間に接続された第１発光部と、
前記基準ラインと第２ラインとの間に接続された第２発光部とを含み、
前記複数のドライバは、
前記基準ラインにおける基準電位と、前記第１ラインにおける、前記基準電位より高い電位との間の電圧を生成して、前記第１発光部を駆動するように構成され、前記基準ラインおよび前記第１ラインに接続された第１ドライバと、
前記基準電位と、第２ラインにおける、前記基準電位より低い電位との間の電圧を生成して、前記第２発光部を駆動するように構成され、前記基準ラインおよび前記第２ラインに接続された第２ドライバとを含む
プロジェクタ。
【発明の詳細な説明】
【技術分野】
【０００１】
本技術は、プロジェクタに関し、プロジェクタの光源を制御する光源制御装置およびその方法に関する。
【背景技術】
【０００２】
特許文献１には、発光ダイオードを駆動する駆動回路が開示されている。この駆動回路、直列に接続された６個の発光ダイオードを一組とした発光部と、複数の発光部で構成される複数組をそれぞれ駆動する複数のドライバと、これらのドライバを制御する１つのドライバ制御ＩＣチップとを備える。具体的には、ドライバ制御ＩＣチップは、発光部を発光させるための目標電流値信号および調整命令の信号を、各ドライバに出力する。各ドライバは、調整命令を受けると、発光部に流れる電流が目標電流値になるように、電圧調整回路により電流を調整する。各ドライバによる調整動作が、時間的に重なっていることにより、各ドライバの調整がすべて完了するまでの時間が短縮される（例えば、特許文献１の明細書段落［００２５］、［００２８］、［００３９］、図１、３、４参照。）。
【先行技術文献】
【特許文献】
【０００３】
【特許文献１】特開2013-175676号公報
【発明の概要】
【発明が解決しようとする課題】
【０００４】
上記特許文献１の駆動回路のように、複数の発光部が複数のドライバによってそれぞれ駆動される形態では、各発光部の個体差によって、駆動電流およびそれに対応する光量にばらつきが生じる場合がある。その場合、各発光部で均一な光量調整を行うためには、制御部は、ドライバごとに異なる指令値を発生する必要があり、光量調整を高速化に行うことは難しい。また、例えばアイリスにより機械的に光量を調整する方法があるが、機械的な手段では光量調整の高速化には限界がある。
【０００５】
以上のような事情に鑑み、本技術の目的は、高速に光量を調整することが可能な光源制御装置、光源制御方法、およびこれらを利用したプロジェクタを提供することにある。
【課題を解決するための手段】
【０００６】
上記目的を達成するため、本技術に係る光源制御装置は、コントローラと、複数のドライバとを具備する。
前記コントローラは、少なくとも１つの発光部の光量の調整に関する指令値を送信するように構成される。
前記複数のドライバは、送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成される。
コントローラが指令値を送信することにより、複数のドライバが所定の関数を用いて駆動値をそれぞれ決定するので、光量を高速に調整することができる。
【０００７】
前記複数のドライバを構成する個々のドライバは、前記関数として、直線で近似される関数を用いるように構成されていてもよい。
これにより、それらドライバの演算量を少なくすることができ、光量調整の高速化に寄与する。
【０００８】
前記複数のドライバを構成する個々のドライバは、前記関数として、複数の駆動領域に対応してそれぞれ設定された複数の関数を用いるように構成されていてもよい。
これにより、光量調整の精度が向上する。
【０００９】
前記個々のドライバは、前記直線で近似される関数として、複数の駆動領域に対応して設定された複数の直線領域で近似される関数を用いるように構成されていてもよい。
これにより、光量調整の精度を向上させながら、それらドライバの演算量をできるだけ少なくすることができる。
【００１０】
前記個々のドライバは、前記直線の傾き、基準光量、および前記基準光量に対応する基準駆動値を既知パラメータとして、前記関数を用いるように構成されていてもよい。
【００１１】
前記個々のドライバは、前記既知パラメータのうち前記直線の傾きおよび前記基準光量に基づく演算値を、前記コントローラから取得、または予め記憶するように構成されていてもよい。
これにより、光量調整時の演算量を少なくし、光量調整の高速化に寄与する。予め記憶とは、光量調整より前に予め記憶することを意味する。
【００１２】
前記コントローラは、所定の条件に基づき、前記関数を更新するように構成されていてもよい。
これにより、発光部に経時、経年変化が生じた場合でも、高精度な光量調整が可能となる。
【００１３】
前記複数のドライバは、複数の第１波長域発光用ドライバと、複数の第２波長域発光用ドライバとを含んでいてもよい。
前記複数の第１波長域発光用ドライバは、前記発光部のうち第１波長域で発光する複数の発光部をそれぞれ駆動するように構成される。
前記複数の第２波長域発光用ドライバは、前記発光部のうち、前記第１波長域とは異なる第２波長域で発光する複数の発光部をそれぞれ駆動するように構成される。
そして、前記コントローラは、前記複数の第１波長域発光用ドライバに第１指令値を送信し、前記複数の第２波長域発光用ドライバに第２指令値を送信するように構成されていてもよい。
これにより、２色以上の光を発光部が発する形態であっても、高速に光量調整を行うことができる。
【００１４】
前記複数のドライバは、第１ドライバと、第２ドライバとを含んでいてもよい。
前記第１ドライバは、基準ラインにおける基準電位と、第１ラインにおける、前記基準電位より高い電位との間の電圧を生成して、前記基準ラインと前記第１ラインとの間に接続された第１発光部を駆動するように構成され、前記基準ラインおよび前記第１ラインに接続可能である。
前記第２ドライバは、前記基準電位と、第２ラインにおける、前記基準電位より低い電位との間の電圧を生成して、前記基準ラインと前記第２ラインとの間に接続された第２発光部を駆動するように構成され、前記基準ラインおよび前記第２ラインに接続可能である。
第２ドライバが基準電位より低い電位による電圧を生成するので、基準ラインを介して、上記コントローラを含むコントローラ基板、第１ドライバ、および第２ドライバへ流れ込む電流の総和が小さくなる。すなわち、基準ラインを介してコントローラ基板へ流れ込む電流が小さくなるので、コントローラ基板の基準ラインパターンによる電位差の発生を抑制することができる。これにより、コモンモードノイズの発生を抑制できる。
【００１５】
「接続」とは、本明細書では電気的接続を意味する
【００１６】
前記第１ドライバおよび前記第２ドライバは、前記基準電位としてゼロボルトの電位を使用するように構成されていてもよい。
基準電位をゼロボルトとすることで、各ドライバの回路設計が容易になる。
【００１７】
前記基準電位が一定電位に設定され、前記第２ドライバは、前記基準電位より低い側の電位を調整することで、前記駆動値を調整するように構成されていてもよい。
基準電位より低い電位が調整されることにより、第２ドライバやその他の回路の故障を抑制し、安全性を高められる、という効果がある。
【００１８】
前記第１ドライバは、前記基準電位より高い側の電位を調整することで、前記駆動値を調整するように構成されていてもよい。
【００１９】
前記光源制御装置は、前記第１発光部のアノードを前記基準ラインに接続させ、かつ、前記第１発光部のカソードを前記第２ラインに接続させるように、前記第１発光部の接続先を変える変更部をさらに具備してもよい。
これにより、発光部の一部が故障した場合でも光源ユニットの制御が容易になり、また、照度ムラの発生を抑制できる。
【００２０】
同様に、前記光源制御装置は、前記第２発光部のカソードを前記基準ラインに接続させ、かつ、前記第２発光部のアノードを前記第１ラインに接続させるように、前記第２発光部の接続先を変える変更部をさらに具備してもよい。
【００２１】
前記光源制御装置は、前記基準ラインのうち、前記コントローラに接続されるライン、および前記複数のドライバに接続されるラインのうち少なくとも一方に設けられた抵抗素子をさらに具備してもよい。
これにより、抵抗素子で戻り電流を熱エネルギーに変えて、コントローラ、複数のドライバに流れ込む電流値を下げることができる。
【００２２】
本技術に係る光源制御方法は、少なくとも１つの発光部の光量の調整に関する指令値をコントローラにより送信することを含む。
送信された前記指令値が複数のドライバによりそれぞれ取得される。
前記発光部ごとに設定された、前記発光部を駆動する駆動値と前記光量との関数を用いて、前記指令値に基づき、前記発光部ごとの前記駆動値が、前記複数のドライバによりそれぞれ決定される。
【００２３】
本技術の他の形態に係る光源制御装置は、上記第１ドライバと、上記第２ドライバと、コントローラユニットとを具備する。
前記コントローラユニットは、前記基準ライン、前記第１ドライバおよび前記第２ドライバに接続可能であり、前記第１ドライバおよび前記第２ドライバを制御するように構成される。
第２ドライバが基準電位より低い電位による電圧を生成するので、基準ラインを介して、コントローラユニット、第１ドライバ、および第２ドライバへ流れ込む電流の総和が小さくなる。すなわち、基準ラインを介してコントローラユニットへ流れ込む電流が小さくなるので、コントローラユニットの基準ラインパターンによる電位差の発生を抑制することができる。これにより、コモンモードノイズの発生を抑制できる。
【００２４】
本技術の一形態に係るドライバユニットは、上記第１ドライバと、上記第２ドライバとを具備する。
【００２５】
本技術に係る光源ユニットは、第１発光部と、第２発光部とを具備する。
前記第１発光部は、基準ラインと第１ラインとの間に接続され、前記基準ラインにおける基準電位と、前記第１ラインにおける、前記基準電位より高い電位との間に生成される電圧による電流で駆動される。
前記第２発光部は、前記基準ラインと第２ラインとの間に接続され、前記基準ラインにおける基準電位と、前記第２ラインにおける、前記基準電位より低い電位との間に生成される電圧による電流で駆動される。
【００２６】
本技術に係るプロジェクタは、複数の発光部と、前記複数の発光部からの光を変調する光変調素子と、前記光変調素子で変調されて得られる変調光を投射する投射光学系と、上記した光源制御装置とを具備する。
【００２７】
前記プロジェクタにおいて、前記複数の発光部は、基準ラインと第１ラインとの間に接続された第１発光部と、前記基準ラインと第２ラインとの間に接続された第２発光部とを含んでいてもよい。前記複数のドライバは、上記第１ドライバと、上記第１ドライバとを含んでいてもよい。
【００２８】
本技術の他の形態に係るプロジェクタは、上記複数の発光部と、上記光変調素子と、上記投射光学系と、上記ドライバユニットと、上記コントローラユニットとを具備する。
【発明の効果】
【００２９】
以上、本技術によれば、発光部の光量を高速に調整することが可能となる。
なお、ここに記載された効果は必ずしも限定されるものではなく、本開示中に記載されたいずれかの効果であってもよい。
【図面の簡単な説明】
【００３０】
【図１】図１は、本技術の一実施形態に係る光源制御装置の構成を示すブロック図である。
【図２】図２は、上記発光部の駆動値としての駆動電流と光量との関係を示すグラフである。
【図３】図３は、関数が、発振閾値電流以上の駆動領域で１本の直線で近似される実施形態についての、駆動電流および光量の関係を示すグラフである。
【図４】図４は、図３に示す駆動電流および光量の関係を持つ光源制御装置の動作を示すフローチャートである。
【図５】図５は、関数が、発振閾値電流以上の駆動領域で２本の直線で近似される実施形態についての、駆動電流および光量の関係を示すグラフである。
【図６】図６は、図４に示す駆動電流および光量の関係を持つ光源制御装置の動作を示すフローチャートである。
【図７】図７は、本技術の別の実施形態に係る光源制御装置を示すブロック図である。
【図８】図８は、図７で示した光源制御装置を備えるプロジェクタの光学系の構成例を示す。
【図９】図９は、別の課題を説明するための、光源および光源制御装置の構成を示し、本技術の比較例に係る図である。
【図１０】図１０は、上記別の課題を解決するための実施形態に係る、光源ユニットおよびこれを制御する光源制御装置の構成を示す図である。
【図１１】図１１は、図１０に示す実施形態とは別の形態に係る光源ユニットおよびこれを制御する光源制御装置の構成を示す図である。
【発明を実施するための形態】
【００３１】
以下、本技術に係る実施形態を、図面を参照しながら説明する。
【００３２】
１．光源制御装置の構成
【００３３】
図１は、本技術の一実施形態に係る光源制御装置の構成を示すブロック図である。光源制御装置１０１は、典型的には、液晶素子等の光変調素子を持つプロジェクタの光源を駆動する装置として用いられる。本実施形態では、そのプロジェクタからの画像信号（映像信号）を受け、それに基づいて発光を制御する光源制御装置の例について説明する。
【００３４】
光源制御装置１０１は、映像信号処理部１５、コントローラ２０、および複数のドライバ３０を備えている。複数のドライバ３０には、複数の発光部４０で構成される光源（光源ユニット）５０が電気的に接続されている。
【００３５】
映像信号処理部１５は、例えば映像信号を処理するチップで構成され、例えば外部機器（例えばＰＣ）等から入力される映像信号に関する各種の処理を実行する。また、映像信号処理部１５は、映像データの一部として、例えば輝度データをコントローラ２０に送るように構成されている。
【００３６】
コントローラ２０は、例えばメインコントローラ２２およびインターフェース部２４を有する。
【００３７】
メインコントローラ２２は、主にＣＰＵ（Central Processing Unit）あるいはＭＰＵ（Micro Processing Unit）で構成され、ＲＡＭ（Random Access Memory）、ＲＯＭ（Read OnIy Memory）等を含む。メインコントローラ２２は、映像信号処理部１５から出力される上記輝度データ等を取得するように構成される。
【００３８】
メインコントローラ２２は、特に、取得した輝度データに基づいて、所定のアルゴリズムを用いて、複数の発光部４０全体で実質的に同じ明るさを持つ光を発生するように、その光量を制御する機能を有する。典型的には、コントローラ２０は、映像信号の１フレームごと（あるいは複数フレームごとでもよい）に、その複数の発光部４０の全体を実質的に同じ輝度とするように、各ドライバ３０の駆動を制御するように構成される。
【００３９】
上記の所定のアルゴリズムとは、例えば、フレームごとの全体輝度に応じて、所定ビット数の段階を持つ輝度で発光部４０を発光させるためのアルゴリズムである。このようなアルゴリズムでは、例えば画面全体が黒である場合、液晶素子から漏れる光をできるだけ小さくするために、複数の発光部４０全体の輝度が比較的小さく設定される。なお、このアルゴリズムでは、画面のほとんどの領域が黒であるが、画面の一部に比較的明るい領域がある場合、その比較的明るい領域に対応する輝度に、複数の発光部４０全体の輝度が統一される。つまり、複数の発光部４０全体の輝度は、プロジェクタに入力された画像データにおける全画素の輝度値のうち、最も高い輝度値を再現できるように調整される。このように、入力された画像データに基づいて発光部の光量を調整する指令値を送信することで、画面全体が暗い場合は発光部の光量を減らすことができる。したがって、発光部４０での消費電力を抑えることができるとともに発光部４０の寿命を延ばすことができる。さらに、液晶素子で遮断する光量を減らすことができるので、液晶素子の寿命を延ばすことができる。
【００４０】
インターフェース部２４は、メインコントローラ２２から出力された、光量の調整に関する指令値を受け、これを各ドライバ３０に同報（ブロードキャスト）する制御基板により構成される。メインコントローラ２２からインターフェース部２４への伝送の規格として、例えばＵＡＲＴ（Universal Asynchronous Receiver Transmitter）が用いられることにより、安価にシステムを実現できる。もちろん、他の規格が採用されてもよい。
【００４１】
本実施形態では、メインコントローラ２２とインターフェース部２４とが別々のチップで構成されているが、１チップで構成されていてもよい。
【００４２】
ドライバ３０は、発光部４０を駆動する機能を有する。ドライバ３０ごとに発光部４０がそれぞれ接続されている。ドライバ３０は、インターフェース部２４に並列接続されている。ドライバ３０および発光部４０は、例えば４〜２０個程度設けられるが、この範囲に限られるわけではない。１つの発光部４０は、複数の発光素子４２が直列接続されて構成されている。発光素子４２としては、例えばＬＤ（Laser Diode）が用いられる。
【００４３】
インターフェース部２４および各ドライバ３０間のインターフェースの規格として、例えばＩ２Ｃ、またはＳＰＩ（Serial Peripheral Interface）が用いられる。Ｉ２Ｃは、ジェネラルコールアドレスの機能を有し、スレーブアドレスを0に設定することにより、スレーブ側をすべて選択できる。これにより、インターフェース部２４から各ドライバ３０への同報通知が可能となる。
【００４４】
ＳＰＩでは、ＳＳ（Slave Select）信号が使用され、スレーブごとに１本ずつの接続ではその本数が多くなり、その本数分の基板面積を必要とし、またマスタ側にその本数分のポートが必要になる。例えば、ドライバ３０基板のID番号（スレーブアドレスに相当）を送るインストラクションを定義して、すべてのスレーブを選択することで、同報通知が可能となる。
【００４５】
２．光源制御装置による発光制御の原理
【００４６】
２．１）発光部の駆動値と光量の関係
【００４７】
図２は、上記発光部４０の駆動値としての駆動電流と光量との関係を示すグラフである。ここでは、上述したように、複数の発光部４０の全体で実質的に同じ均一な輝度を得るための発光制御の原理について説明する。
【００４８】
発光部４０ごとに図２に示した関係が存在し、これら関係（グラフ）は概ね同一の形態を有するが、発光部４０ごとに若干の個体差を有する。もちろん、すべての発光部４０のうち少なくとも２つの発光部４０において、当該個体差が無く、同一形態の、駆動電流および光量の関係を有する場合もある。
【００４９】
図２を参照して、P0は、発光部４０を構成する発光素子４２の発振閾値電流I0に対応する光量である。発振閾値電流I0は、具体的には、最小の光量を発生させる電流値である。Pcは基準光量であり、本実施形態では最大光量である。その基準光量を得るための基準駆動値（基準駆動電流）としての駆動電流をIcとする。
【００５０】
任意の駆動電流Iyに対応する光量をPyとし、これらの関係を、関数fを用いて以下の式0.1で示す。
Py = f(Iy)  ・・・式0.1
【００５１】
式0.1を逆関数f-1で表すと、以下の式0.2になる。
Iy = f-1(Py)  ・・・式0.2
【００５２】
最大光量からの変化の割合、つまり減光の割合y（ただし、0≦y≦1）は、以下の式0.3で表されるため、これにより式0.4を得る。
y = Py/Pc  ・・・式0.3
Py = y・Pc  ・・・式0.4
【００５３】
式0.2、式0.4から、以下の式0.5が得られる。
Iy = f-1(y・Pc)  ・・・式0.5
【００５４】
例えば各ドライバ３０は、関数（逆関数）f-1およびPcを予め記憶しておく。コントローラ２０が指令値としてyを各ドライバ３０に同報することにより、個々のドライバ３０は、式0.5を用いて、Iyを個々に算出することができる。すなわち、個々のドライバ３０は、関数f-1を用いて、指令値yに基づき、駆動電流Iyをそれぞれ決定することができる。上述したように、発光部４０ごとにf-1について若干の個体差を持つ場合があるため、同じ指令値yであっても、ドライバ３０ごとに駆動電流Iyが異なる場合がある。
【００５５】
例えば、各ドライバ３０は、f-1およびPcを記憶する代わりに、ルックアップテーブル形式で、式0.5により規定される、駆動電流およびこれに対応する光量の各データ値を記憶してもよい。ドライバ３０のメモリは、揮発性および不揮発性のどちらのタイプであってもよい。
【００５６】
例えばこれらのメモリが揮発性メモリである場合、コントローラ２０が予め関数f-1やルックアップテーブルのデータを記憶おけばよい。そして、光源制御装置１０１に電源が投入されるタイミング、またはその後の所定のタイミングで、コントローラ２０が各ドライバ３０にそれら関数f-1やルックアップテーブルを渡すようにしてもよい。
【００５７】
例えばドライバ３０のメモリが不揮発性メモリである場合、コントローラ２０がドライバ３０に関数f-1やルックアップテーブルのデータを送信してそれを各ドライバ３０が取得した以降は、それら不揮発性メモリがそれらを記憶しておいてもよい。あるいは、それら不揮発性メモリは、工場出荷時に予めそれらを記憶しておいてもよい。
【００５８】
２．２）実施形態１（具体的な関数の例１）
【００５９】
以下では、上記関数fまたはf-1の具体的な実施形態として、発振閾値電流I0以上の駆動領域で１本の直線で近似される例について説明する。図３は、その実施形態に係る、駆動電流および光量の関係を示すグラフである。本実施形態１のグラフは、発振閾値電流I0から、最大光量Pcに対応する基準駆動電流Icまでの駆動領域において、直線で近似される。このグラフから、以下の式1.1に示すように、その直線の傾き(Pb-Pa)/(Ib-Ia)をk1と置く。
【００６０】
k1 = (Pb-Pa)/(Ib-Ia)  ・・・式1.1
【００６１】
式1.1は、式1.2であり、つまりIyは式1.3のようにPyの関数として表される。
Py-Pc = k1(Iy-Ic)  ・・・式1.2
Iy =f-1(Py)  ・・・式1.3
【００６２】
具体的には、Iyは、式1.2から以下の式1.4で表される。
Iy = (Py-Pc)/k1 + Ic  ・・・式1.4
【００６３】
y = Py/Pc、0≦y≦1とすると、式1.4から以下の式1.5が導かれる。
Iy = Pc(y-1)/k1 + Ic  ・・・式1.5
【００６４】
ここで、ζ =Pc/k1とおくと、式1.5は以下の式1.6となる。
Iy = (y-1)ζ + Ic  ・・・式1.6
【００６５】
個々のドライバ３０は、既知パラメータとしてk1、Pc、およびIcを記憶する。k1およびPcの代わりに、k1およびPcに基づく演算値であるζが記憶されてもよい。コントローラ２０のインターフェース部２４は、光量をPyに変更する場合、指令値として例えばy-1をドライバ３０に同報することにより、個々のドライバ３０は、式1.6を用いて駆動電流Iyを算出することができる。
【００６６】
図４は、本実施形態１に係る光源制御装置１０１の動作を示すフローチャートである。
【００６７】
光源制御装置１０１に電源が投入されると、コントローラ２０は、例えば初期設定として、各ドライバ３０ごとに予め定められた上記既知パラメータであるIcおよびζを各ドライバ３０に送信する（ステップ１０１）。個々のドライバ３０はIcおよびζを取得し、メモリにこれを記憶する。上述したように、個々のドライバ３０は、不揮発性メモリにIcおよびζを予め記憶しておいてもよい。
【００６８】
そして、コントローラ２０は、電流Icを目標駆動電流として、発光部４０を駆動するための駆動開始コマンドを各ドライバ３０に送信する（ステップ１０２）。駆動開始コマンドも、典型的には同報により通知される。
【００６９】
次に、コントローラ２０は、例えば映像信号処理部１５から、光量調整（ここではdimming調整）の指令を受けると、同じ指令値y-1を各ドライバ３０に同報する（ステップ１０３）。この指令値y-1は、最大光量Pcからの変化の割合yに基づく演算値である。
【００７０】
個々のドライバ３０は、ステップ１０１で記憶したIcおよびζを含む式1.6を用いて、取得した指令値y-1に基づき、電流Iyを目標駆動電流として決定し、この駆動電流Iyで発光部４０を駆動する（ステップ１０４）。
【００７１】
以上のように、コントローラ２０は、指令値y-1を同報することにより、個々のドライバ３０は式1.6を用いて駆動電流Iyをそれぞれ算出する。すなわち、コントローラ２０は、発光部４０ごと（ドライバ３０ごと）に異なる可能性がある駆動電流値を各ドライバ３０にそれぞれ送信する必要がない。したがって、光量調整の高速化を実現することができる。
【００７２】
特に、コントローラ２０が、個々のドライバ３０に、（発光部４０ごとの光量の個体差を吸収するための）異なる指令値をそれぞれ送信していたのでは、１フレームごとのタイミングにその送信が間に合わない。本実施形態１では、コントローラ２０は、同じ指令値を同報するだけでよいので、発光部４０ごとの光量調整を、例えば１フレームごとに行うことができる。
【００７３】
コントローラ２０は、指令値としてy-1を送るが、もちろんyを送ってもよい。その場合、個々のドライバ３０が、y-1を演算する。しかし、y-1は、各ドライバ３０に共通の値であるため、コントローラ２０がy-1を演算する方が、光量調整の高速化に寄与する。
【００７４】
また、コントローラ２０は、上記のように予めζを持っておくのではなく、光量調整ごとにPc/k1を演算するようにしてもよい。しかし、Pc/k1は既知であり、本実施形態のようにこのような除算等の演算処理を予め行っておくことにより、光量調整時の演算量を少なくし、光量調整の高速化に寄与する。
【００７５】
２．３）実施形態２（具体的な関数の例２）
【００７６】
図５は、上記実施形態１とは別の実施形態に係る関数を示す。本実施形態では、上記実施形態１で説明した箇所について、同様の説明箇所を簡略化または省略し、異なる点を中心に説明する。
【００７７】
本実施形態２では、図５に示すように、この関数は、発振閾値電流I0から基準駆動値である基準駆動電流Icまでの複数の駆動領域に対応して、複数の直線領域で近似される。つまり、発振閾値電流I0以上の駆動領域で、複数の関数が規定される。具体的には、この関数は２つの直線領域に分けらて設定されている。
【００７８】
説明の便宜上、駆動電流Ibから基準駆動電流Icまでの領域を第１駆動領域とし、発振閾値電流I0から駆動電流Ibまでの領域を第２駆動領域とする。第１駆動領域の直線の傾きk1、第２駆動領域の直線の傾きk2は、以下の式2.1、式2.2でそれぞれ表される。
k1 = (Pc-Pb)/(Ic-Ib)  ・・・式2.1
k2 = (Pb-Pa)/(Ib-Ia)  ・・・式2.2
【００７９】
第１駆動領域（Pb＜Py）では、上記式1.6と同様に、傾きk1を用いて、以下の式2.3が導き出される。
Iy = (y-1)ζ1 + Ic  ・・・式2.3
ただし、ζ1=Pc/k1、y=Py/Pc
【００８０】
第２駆動領域（P0＜Py≦Pb）では、傾きk2を用いて、以下の式2.4が導き出される。
Py = Pb + k2(Iy-Ib)  ・・・式2.4
【００８１】
y=Py/Pcから、式2.4を変形して、以下の式2.5が得られる。
Iy = y・Pc/k2 - Pb/k2 + Ib  ・・・式2.5
【００８２】
ζ2=Pc/k2、ζ3=Pb/k2とすると、式2.5は以下の式2.6で表される。
Iy = ζ2y - ζ3 + Ib  ・・・式2.6
【００８３】
以上のように、個々のドライバ３０は、第１駆動領域では式2.3を用い、第２駆動領域では式2.6を用いて、駆動電流Iyを算出するように構成される。個々のドライバ３０は、既知パラメータとしてk1、k2、Pc、Ic、Pb、およびIbを記憶する。Pcおよびk1の代わりに、それらの演算値であるζ1が記憶されてもよく、Pcおよびk2の代わりに、それらに基づく演算値であるζ2が記憶されてもよい。また、Pbおよびk2の代わりに、それらに基づく演算値であるζ3が記憶されてもよい。
【００８４】
コントローラ２０は、光量を第１駆動領域に対応するPyに変更する場合、例えば指令値としてy（またはy-1でもよい）をドライバ３０に同報することにより、個々のドライバ３０は、式2.3または式2.6を用いて駆動電流Iyを算出することができる。
【００８５】
図６は、本実施形態２に係る光源制御装置の動作を示すフローチャートである。
【００８６】
光源制御装置に電源が投入されると、コントローラ２０は、例えば初期設定として、各ドライバ３０ごとに予め定められた上記既知パラメータであるIc、Ib、ζ1、ζ2、ζ3を各ドライバ３０に送信する（ステップ２０１）。個々のドライバ３０はIc、Ib、ζ1、ζ2、ζ3を取得し、メモリにこれを記憶する。上述したように、個々のドライバ３０は、不揮発性のメモリにIc、Ib、ζ1、ζ2、ζ3を予め記憶しておいてもよい。
【００８７】
そして、コントローラ２０は、電流Icを目標駆動電流として、発光部４０を駆動するための駆動開始コマンドを各ドライバ３０に送信する（ステップ２０２）。
【００８８】
コントローラ２０は、例えば映像信号処理部１５から、光量調整（ここではdimming調整）の指令を受けると、同じ指令値yを各ドライバ３０に同報する（ステップ２０３）。
【００８９】
個々のドライバ３０は、指令値yについて判定処理を行う。つまり個々のドライバ３０は、光量PyがPbを超えるか否かを判定する（ステップ２０４）。このステップ２０４では、個々のドライバ３０が、予めPbのPcに対する割合y1、つまりy1=Pb/Pcを予め記憶（例えばステップ２０１でコントローラ２０からPbをさらに取得し、Pb/Pc=y1を算出してこれを記憶）しておき、y1<yを判定するようにしてもよい。
【００９０】
個々のドライバ３０は、Pb<Py（y1<y）であると判定した場合、その指令値yに基づき、式2.3を用いて駆動電流Iyを目標駆動電流として決定し、この駆動電流Iyで発光部４０を駆動する（ステップ２０５）。一方、個々のドライバ３０は、Pb<Py（y1<y）でないと判定した場合、その指令値yに基づき、式2.6を用いて駆動電流Iyを目標駆動電流として決定し、この駆動電流Iyで発光部４０を駆動する（ステップ２０６）。
【００９１】
以上のように、本実施形態２では、複数の駆動領域に分けて、駆動電流および光量の関係が規定されるので、実施形態１に比べ、演算量は増えるが、光量調整の精度が向上する。
【００９２】
２．４）
以上述べた実施形態１、２は、次のような効果も奏する。ＣＰＵやＭＰＵ等のコントローラが、個々のドライバに設定する電流目標値を演算しながら送信する形態に比べ、本実施形態では個々のドライバ３０が並行して演算するので、演算実行時間が短くなる。
【００９３】
また、メインコントローラ２２による演算処理量が減るため、メインコントローラ２２の負荷が減り、メインコントローラ２２が実行すべき他の処理を高速に実行できるようになる。
【００９４】
３．別の実施形態に係る光源制御装置
【００９５】
図７は、本技術の別の実施形態に係る光源制御装置を示すブロック図である。光源制御装置１０２は、図１で示した光源制御装置１０１の光源が、異なる３色の光を発する３つの光源５０Ｒ、５０Ｇ、５０Ｂに置き換えられた構成を備え、すなわち、複数の波長域で発光する光源５０Ｒ、５０Ｇ、５０Ｂを備える。
【００９６】
光源５０Ｒは、例えば赤色の波長域を持つ光を発する複数の発光部４０を有する。発光Ｇは緑色の波長域を持つ光を発する複数の発光部４０を有する。光源５０Ｂは青色の波長域を持つ複数の発光部４０を有する。すなわち、光源５０Ｒ、５０Ｇ、５０Ｂにより白色光が生成される。図１に示す形態と同様に、発光部４０は、直列接続された複数の発光素子４２で構成される。
【００９７】
コントローラ２０は、映像信号処理部１５から、３つの光源５０Ｒ、５０Ｇ、５０Ｂに対応する映像信号の輝度データを取得し、その輝度データに基づき、１フレームごとまたは複数フレームごとに、光源５０ごとの発光部４０全体の明るさ（輝度）で、各光源５０Ｒ、５０Ｇ、５０Ｂを発光させる。コントローラ２０は、光源５０ごとに基本的には異なる指令値（同じ場合もある）を、すべての光源５０で同じタイミングで一斉に同報するように構成される。あるいは、異なる光源５０間では、映像表示に影響がない程度のわずかな送信タイミングのずれ（例えば１フレーム時間より十分に短い時間のずれ）があってもよい。
【００９８】
そして、各ドライバ３０が光源５０ごとに、その指令値に基づいて、上記したような関数を用いて駆動電流を決定し、その駆動電流でそれぞれの光源５０Ｒ、５０Ｇ、５０Ｂを発光させる。
【００９９】
このように、コントローラ２０が、複数の波長域（つまり第１波長域および第２波長域を少なくとも含む）を持つ光を発生する光源５０ごとに設けられたドライバ３０（複数の第１波長域発光用ドライバおよび複数の第２波長域発光用ドライバを少なくとも含む）に指令値（第１指令値および第２指令値を少なくとも含む）を同報する。そして、各ドライバ３０が関数を用いて駆動電流を決定するので、３つの光源５０Ｒ、５０Ｇ、５０Ｂを用いたとしても、高速に光量調整を行うことができる。
【０１００】
４．プロジェクタ
【０１０１】
図８は、例えば図７で示した光源制御装置１０２を備えるプロジェクタの光学系の構成例を示す。プロジェクタ５００は、白色光を出射可能な光源装置１００と、光源装置１００からの光をもとに画像を生成する画像生成部２００と、生成された画像を図示しないスクリーン等に投射する投射部（投射光学系）４００とを有する。
【０１０２】
光源装置１００は、赤色波長域の赤色レーザ光Ｒ、緑色波長域の緑色レーザ光Ｇ、および青色波長域の青色レーザ光Ｂを合成して白色光Ｗを出射する。光源装置１００は、例えば図７で示した光源制御装置１０２を含む装置である。
【０１０３】
画像生成部２００は、照射された光をもとに画像を生成する光変調素子２１０と、光変調素子２１０に光源装置１００からの白色光を照射する照明光学系２２０とを有する。照明光学系２２０は、ダイクロイックミラー２６０および２７０、ミラー２８０、２９０および３００、リレーレンズ３１０および３２０、フィールドレンズ３３０Ｒ、３３０Ｇおよび３３０Ｂ、光変調素子２１０として例えば液晶素子２１０Ｒ、２１０Ｇ、および２１０Ｂ、ダイクロイックプリズム３４０を含んでいる。
【０１０４】
ダイクロイックミラー２６０および２７０は、所定の波長域の色光を選択的に反射し、それ以外の波長域の光を透過させる性質を有する。例えば、ダイクロイックミラー２６０が、緑色レーザ光Ｇおよび青色レーザ光Ｂを選択的に反射する。ダイクロイックミラー２７０は、ダイクロイックミラー２６０により反射された緑色レーザ光Ｇおよび青色レーザ光Ｂのうち、緑色レーザ光Ｇを選択的に反射する。残る青色レーザ光Ｂが、ダイクロイックミラー２７０を透過する。これにより、光源装置１００から出射された光が、異なる色の複数のレーザ光に分離される。なお複数のレーザ光に分離するための構成や、用いられるデバイス等は限定されない。
【０１０５】
分離された赤色レーザ光Ｒは、ミラー２８０により反射され、フィールドレンズ３３０Ｒを通ることによって平行化され、液晶素子２１０Ｒに入射する。緑色レーザ光Ｇは、フィールドレンズ３３０Ｇを通ることによって平行化され、液晶素子２１０Ｇに入射する。青色レーザ光Ｂは、リレーレンズ３１０を通ってミラー２９０により反射され、さらにリレーレンズ３２０を通ってミラー３００により反射される。ミラー３００により反射された青色レーザ光Ｂは、フィールドレンズ３３０Ｂを通ることによって平行化され、液晶素子２１０Ｂに入射する。
【０１０６】
液晶素子２１０Ｒ、２１０Ｇおよび２１０Ｂは、画像情報を含んだ画像信号を供給する図示しない信号源（例えばＰＣ等）と電気的に接続されている。液晶素子２１０Ｒ、２１０Ｇおよび２１０Ｂは、供給される各色の画像信号に基づき、入射光を画素毎に変調し、それぞれ赤色画像、緑色画像および青色画像を生成する。変調された各色のレーザ光（形成された画像）は、ダイクロイックプリズム３４０に入射して合成される。ダイクロイックプリズム３４０は、３つの方向から入射した各色の光を重ね合わせて合成し、投射部４００に向けて出射する。
【０１０７】
投射部４００は、光変調素子２１０により生成された画像を投射する。投射部４００は、複数のレンズ４１０等を有し、ダイクロイックプリズム３４０によって合成された光を図示しないスクリーン等に照射する。これによりフルカラーの画像が表示される。
【０１０８】
５．他の種々の実施形態
【０１０９】
本技術は、以上説明した実施形態に限定されず、他の種々の実施形態を実現することができる。
【０１１０】
例えば、コントローラ２０は、所定の条件に基づき、関数またはその関数を構成するパラメータを更新するように構成されていてもよい。具体的には、所定の条件とは、電源が投入されて所定の日数が経過した場合や、光源制御装置が工場出荷時にデフォルトで記憶している関数（の既知パラメータ）から、現在の既知パラメータが変化した場合などである。後者の場合、例えば光源制御装置が輝度センサ等を備え、コントローラ２０が、定期、不定期、またはユーザの操作入力があった時等に、発光部４０の駆動電流および発光量を調べてそれらを記録するように構成されていればよい。これにより、発光部４０に経時、経年変化が生じた場合でも、高精度な光量調整が可能となる。
【０１１１】
光源５０の個々の発光部４０を構成する素子として、ＬＤの代わりにＬＥＤ（Light Emitting Diode）が用いられてもよい。
【０１１２】
上記実施形態では、基準光量は最大光量とされたが、これに限られず、任意の光量でよい。
【０１１３】
光変調素子として液晶素子が用いられたが、ＤＭＤ（Digital Micro-mirror Device）が用いられてもよい。
【０１１４】
図７に示した光源制御装置１０２に別系統のＲＧＢの３つの光源５０Ｒ、５０Ｇ、５０Ｂをさらに設けることにより、３Ｄ映像を投射するプロジェクタを実現することができる。この場合、インターフェース部２４（図７参照）から６本の並列的な線が配線される設計となる。
【０１１５】
上記実施形態では、コントローラが、指令値を各ドライバに同報するように構成された。しかし、必ずしも「同報」でなくてもよく、コントローラは、少なくとも２つのドライバへの指令値の送信タイミングをずらすように構成されていてもよい。
【０１１６】
上記実施形態では、１つの発光部４０は、複数の発光素子４２を有していたが、単一の発光素子４２により構成されていてもよい。
【０１１７】
以上説明した光源制御装置の実施形態は、以下に説明する光源制御装置および光源ユニットの実施形態とを組み合わせることもできる。また、以上説明したプロジェクタは、以下に説明する実施形態に係る光源制御装置や光源ユニットを含むこともできる。
【０１１８】
以上説明した各形態の特徴部分のうち、少なくとも２つの特徴部分を組み合わせることも可能である。以下に説明するいくつかの実施形態についても同様である。
【０１１９】
６．光源における戻り電流に起因する課題
【０１２０】
ところで、光源における各発光部の戻り電流は比較的大電流であり、このような大電流が電子機器のコントローラ基板の基準ライン（典型的にはグランドライン）に流れ込むと、次のような問題が起こるおそれがある。すなわち、当該グランドラインに大電流が流れ込むと、その配線パターンにより規定される抵抗値に基づく電位差が発生し、これによりコモンモードノイズが生じる。
【０１２１】
本開示の別の目的は、基準ラインの配線パターンによる電位差の発生を抑制することができる技術を提供することにある。
【０１２２】
図９は、上記課題を具体的に説明するための、光源および光源制御装置の構成を示し、本技術の比較例に係る図である。図９に示した装置は、電源ユニット６０、コントローラユニット（例えばコントローラ基板）１２０、ドライバユニット１５０、および光源（光源ユニット）５０を備える。なお、上記図１等に示した実施形態では、電源ユニット６０の図示やその説明は省略されている。
【０１２３】
コントローラユニット１２０は、ドライバユニット１５０に搭載された複数のドライバ３０に制御信号を送り、それらドライバ３０の駆動をそれぞれ制御する。コントローラユニット１２０は、例えば上述した実施形態の「コントローラ２０」（図１参照）を含む基板ユニットで構成される。この場合、コントローラユニット１２０は、インターフェース部２４や映像信号処理部１５を含んでいてもよいし、それらを含まない場合はコントローラユニット１２０の外部にそれらが設けられていてもよい。
【０１２４】
ドライバユニット１５０の各ドライバ３０には、上記実施形態で説明したように、発光部４０がそれぞれ接続されている。１つの発光部４０は、例えば、上述したように直列接続された複数の発光素子４２を有する。電源ユニット６０は、コントローラユニット１２０およびドライバユニット１５０に電力を供給し、また、ドライバユニット１５０を介して光源ユニット５０に電力を供給する。
【０１２５】
ドライバユニット１５０（の各ドライバ３０）は、正電源ライン５１（複数）およびグランドライン５９に接続されている。各発光部４０は、グランドライン５９と正電源ライン５１との間にそれぞれ接続されている。正電源ライン５１には、グランドライン５９のゼロボルトより高電位が印加され、各発光部４０は、そのグランドライン５９および正電源ライン５１間の電圧による電流で駆動されるようになっている。
【０１２６】
ここで、コントローラユニット１２０にもグランドライン（ライン５９ｇ）が接続されている場合、次のような問題が起こる。グランドライン５９を通る、発光部４０からの戻り電流は大電流であり、この大電流がドライバユニット１５０およびコントローラユニット１２０に流れ込む。例えば、１つの発光部４０に1A〜2Aの電流が流れ、発光部４０が20個設けられる設計の場合、グランドライン５９には20A〜40Aの大きな戻り電流が流れる。
【０１２７】
例えば、図９に示したように、各発光部４０（例えば４つ）を流れる電流値をIf1、If2、If3、If4とする。グランドライン５９を流れる電流は、それら４つの電流値の総和であり、総和Irは、Ir= If1+If2+If3+If4である。そして、グランドライン５９のドライバユニット１５０へのライン５９ｓに流れる電流をIs、コントローラユニット１２０に接続へのライン５９ｇに流れる電流をIgとすると、Ir= Ig+Isである。コントローラユニット１２０およびドライバユニット１５０におけるインピーダンスがほぼ同じであれば、Ig=Irとなる。つまりIrの1/2の電流が、コントローラユニット１２０に流れ込むことになる。
【０１２８】
ドライバユニット１５０は、大電流を取り扱う設計を有するため、大電流が戻り電流としてドライバユニット１５０に流れ込んでも問題は起こりにくい。一方、コントローラユニット１２０に大電流が流れ込むと、上述したように、コントローラユニット１２０のグランドラインの配線パターンで決まる抵抗値に基づく電位差が発生し、これによりコモンモードノイズが発生する。
【０１２９】
具体的には、この光源および光源制御装置を含む電子機器は、光源ユニット５０やコントローラユニット１２０（コントローラ基板）等の各要素を支持する導電性フレーム７０を有する場合がある。この場合、この導電性フレーム７０がこの光源制御装置の電気的なグランドとして機能する。このような導電性フレーム７０が存在すると、コントローラユニット１２０のグラインドラインと、この導電性フレーム７０との間で上述したように電位差が発生し、これによりコモンモードノイズが発生する。
【０１３０】
このような問題の解決策として、光源ユニット５０を、上記導電性フレーム７０から絶縁することが考えられる。この導電性フレーム７０は、図９において、このような、光源ユニット５０の、コントローラユニット１２０（導電性フレーム７０）からの絶縁を、模式的に破線の「×」印で示している。このように光源ユニット５０を導電性フレーム７０から絶縁した場合には、その導電性フレーム７０を介してコントローラユニット１２０に電流Igが流れ込むことを防ぐことができる。
【０１３１】
ここで、光源ユニット５０を対する作業（例えばメンテナンスなど）を行う場合に、光源ユニット５０を機器（例えばプロジェクタ）から取り外す必要がある。したがって、ドライバユニット１５０と光源ユニット５０とを接続しているケーブルが外されることになる。しかしながら、上記の「×」印のような絶縁手法を採ると、ドライバユニット１５０と光源ユニット５０とを接続するケーブルが外された場合、光源ユニット５０が電気的に浮遊状態となり、光源ユニット５０内の静電気の発生により、発光素子４２が劣化する等の問題がある。
【０１３２】
６．１）上記課題を解決するための実施形態
【０１３３】
図１０は、上記課題を解決するための実施形態に係る、光源ユニットおよびこれを制御する光源制御装置の構成を示す。本実施形態において、上記比較例（図９参照）に係る装置の要素と同一の要素については、同一の符号を付し、その説明を省略または簡略化する。
【０１３４】
本実施形態に係る装置と、上記比較例に係る装置と異なる主な点は、本実施形態に係る光源ユニット５０Ａは、正電源ライン（第１ライン）５１とグランドライン（基準ライン）５９のほか、負電源ライン（第２ライン）５２をさらに有する点である。そして、少なくとも１つの発光部４０である第２発光部４０ｂが、そのグランドライン５９と負電源ライン５２との間に接続されている。
【０１３５】
ドライバユニット１５０は、グランドライン５９、正電源ライン５１および負電源ライン５２に接続されている。具体的には、ドライバユニット１５０は、基準電位（例えば0V）と、当該基準電位より高い電位との間の電圧を生成して、第１発光部４０ａを駆動する１つ以上の第１ドライバ３１を有する。つまり、第１ドライバ３１は、正電源ライン５１およびグランドライン５９（ライン５９ｓ）に接続される。
【０１３６】
また、ドライバユニット１５０は、基準電位（例えば0V）と、当該基準電位より低い電位との間の電圧を生成して、第２発光部４０ｂを駆動する１つ以上の第２ドライバ３２を有する。つまり、第２ドライバ３２は、負電源ライン５２およびグランドライン５９（ライン５９ｓ）に接続される。
【０１３７】
図１０において、例えば２つの第１発光部４０ａを流れる電流値をそれぞれIf1、If2とする。また、２つの第２発光部４０ｂを流れる電流値をそれぞれIf3、If4とする。グランドライン５９のうち、ドライバユニット１５０に接続されるライン５９ｓと、コントローラユニット１２０に接続されるライン５９ｇの合流点を流れる電流値の総和Irは、Ir= If1+If2-(If3+If4)である。また、ライン５９ｓを流れる電流値をIs、ライン５９ｇを流れる電流値をIgとすると、Ir= Ig+Isである。
【０１３８】
Irは、If1とIf2の和から、If3およびIf4を減じた値となる。本実施形態では、各発光部４０は定電流駆動（輝度の調整範囲を含む）により駆動されるため、If1、If2、If3、If4が概ね同じであることにより、Irは非常に小さい値となる。したがって、上記Ir= Ig+Isから、Igも非常に小さい値となる。
【０１３９】
以上のように、本実施形態では、グランドライン５９を介してコントローラユニット１２０に流れ込む戻り電流を非常に小さい値にすることができる。これにより、コントローラユニット１２０のグランドラインの配線パターンによる電位差の発生も抑制され、コモンモードノイズが抑制される。その結果、コントローラユニット１２０における信号処理時の誤作動を防止できる。
【０１４０】
また、本実施形態では戻り電流が非常に小さいので、上述したように、グランドのベースとなる導電性フレーム７０から、光源ユニット５０を絶縁する必要がない。光源ユニット５０に対する作業（例えばメンテナンス作業）を行う場合に、ドライバユニット１５０と光源ユニット５０とを接続しているケーブルを外す必要もなく、作業性が向上する。また、光源ユニット５０の電気的に浮遊状態となることはなく、光源ユニット５０内に静電気が発生することも抑制される。これにより、発光素子４２の劣化も抑制される。
【０１４１】
本実施形態では、基準電位として0Vの電位を使用するので、各ドライバの回路設計が容易になる。もちろん、基準電位として、正電位を使用してもよい。例えば、高電位側を20V、基準電位を10V、低電位側を0Vとしてもよい。この場合、その高電位側のライン（第１ライン）と基準ライン（基準電位側のライン）との間に第１発光部４０ａが接続され、基準ラインと低電位側のライン（第２ライン）との間に第２発光部４０ｂが接続されるようにしてもよい。つまり、第１発光部４０ａのアノードが高電位側のラインに接続され、また、第１発光部４０ａのカソードが基準ラインに接続される。そして、第２発光部４０ｂのアノードが基準ラインに接続され、第２発光部４０ｂのカソードが低電位側のラインに接続される。
【０１４２】
本実施形態では、基準電位が一定（典型的にはグランド電位である0V）に設定され、第２ドライバ３２が負電源ライン５２の電位を調整することで、上記駆動値（電流値）を調整することができる。このように、基準電位より低い電位が調整されることにより、第２ドライバ３２やその他の回路の故障を抑制し、安全性を高められる、という効果がある。また、この場合、第１ドライバ３１は、正電源ライン５１の電位を調整することで、駆動値（電流値）を調整するように構成される。
【０１４３】
この光源制御装置は、図１０に示すように、ライン５９ｇに設けられた抵抗素子Ｒｇおよびライン５９ｓに設けられたＲｓを備えていてもよい。これにより、戻り電流を熱エネルギーに変えて、コントローラユニット１２０およびドライバユニット１５０に流れ込む戻り電流の値を下げることができる。
【０１４４】
なお、抵抗素子ＲｇおよびＲｓのうちいずれか一方のみが設けられていてもよい。この場合、好ましくは、抵抗素子Ｒｇのみが設けられる。なお、抵抗素子ＲｇおよびＲｓは必須の要素ではない。
【０１４５】
６．２）上記課題を解決するための他の実施形態
【０１４６】
図１１は、上記課題を解決するための他の実施形態に係る光源および光源制御装置の構成を示す。
【０１４７】
本実施形態に係る装置が上記実施形態と異なる点は、次のような点である。本実施形態に係る装置は、高電位側の第１発光部４０ａのアノードをグランドライン５９に接続させ、かつ、第１発光部４０ａのカソードを負電源ライン５２に接続させるように、第１発光部４０ａの接続先を変える変更部を備える。例えば、変更部は、コントローラユニット１２０およびスイッチ群Ｓ１、Ｓ２を含む。
【０１４８】
スイッチ群Ｓ１は、１以上（すべてでもよい）の第１発光部４０ａに接続された４つのスイッチＱ１〜Ｑ４を含む。同様にスイッチ群Ｓ２は、１以上（すべてでもよい）の第２発光部４０ｂに接続された４つのスイッチＱ１〜Ｑ４を含む。図１１は、第１発光部４０ａ、第２発光部４０ｂそれぞれ１つずつにスイッチ群が設けられる構成を示している。
【０１４９】
スイッチＱ１〜Ｑ４としては、例えばＦＥＴ（Field Effect Transistor）等の半導体スイッチが用いられる。これらスイッチＱ１〜Ｑ４は、コントローラユニット１２０によってそのON/OFFの切り替えが制御されるようになっている。以下では、第１発光部４０ａのスイッチ群Ｓ１について説明する。
【０１５０】
スイッチＱ１は、正電源ライン５１と、第１発光部４０ａのアノード（端部の発光素子４２のアノード）との間に接続されている。スイッチＱ２は、第１発光部４０ａのカソード（反対側の端部の発光素子４２のカソード）と、グランドライン５９との間に接続されている。
【０１５１】
スイッチＱ３は、スイッチＱ１と並列に第１発光部４０ａのアノードに接続され、当該第１発光部４０ａのアノードとグランドライン５９との間に接続されている。スイッチＱ４は、スイッチＱ２と並列に第１発光部４０ａのカソードに接続され、当該第１発光部４０ａのカソードとグランドライン５９との間に接続されている。
【０１５２】
このような構成によれば、次のような動作が可能となる。例えば、この光源ユニット５０が、複数（例えば１０個）の第１発光部４０ａと、複数（例えば１０個）の第２発光部４０ｂとを含むとする。この場合において、１０個の第２発光部４０ｂのうち偶数個、例えば２個の第２発光部４０ｂが故障した場合、コントローラユニット１２０は、それを何らかの方法で検出する。検出方法としては、電流検出、電圧検出、または発光照度検出が挙げられる。
【０１５３】
そして、コントローラユニット１２０は、スイッチ群Ｓ１が設けられる１つの第１発光部４０ａを、低電位側の発光部として、つまり第２発光部４０ｂとして機能するように、スイッチ群Ｓ１を切り替える。具体的には、第１発光部４０ａにおいて、スイッチＱ１およびＱ２をOFFとし、スイッチＱ３およびＱ４をONとする。そうすると、正常に動作する高電位側の発光部が９個、正常に動作する低電位側の発光部も９個となる。これにより、光源ユニット５０の正側と負側の電気的バランスおよび照度バランスを取ることができる。その結果、発光部の一部が故障した場合でも光源ユニット５０の制御が容易になり、また、照度ムラの発生を抑制できる。
【０１５４】
例えば偶数個の第１発光部４０ａが故障した場合でも、第２発光部４０ｂのスイッチ群Ｓ２の上記同様な切り替え動作により、同様の効果が得られる。
【０１５５】
正側と負側のバランスを取る目的に限られず、他の目的でスイッチ群のON/OFFが制御されてもよい。他の目的とは、例えば光源ユニット５０からの基本的な出射光量を調整すること（例えば、常時、最大出射光量の半分の光量で機器を使用する場合など）が挙げられる。
【０１５６】
本実施形態においても、上記実施形態と同様に、基準電位が一定（典型的にはグランド電位である0V）に設定され、第２ドライバ３２が負電源ライン５２の電位を調整することで、上記駆動値（電流値）を調整することができる。また、この場合、第１ドライバ３１は、正電源ライン５１の電位を調整することで、駆動値（電流値）を調整するように構成される。
【０１５７】
なお、本技術は以下のような構成もとることができる。
（１）
少なくとも１つの発光部の光量の調整に関する指令値を送信するように構成されたコントローラと、
送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成された複数のドライバと
を具備する光源制御装置。
（２）
前記（１）に記載の光源制御装置であって、
前記複数のドライバを構成する個々のドライバは、前記関数として、直線で近似される関数を用いるように構成される
光源制御装置。
（３）
前記（１）に記載の光源制御装置であって、
前記複数のドライバを構成する個々のドライバは、前記関数として、複数の駆動領域に対応してそれぞれ設定された複数の関数を用いるように構成される
光源制御装置。
（４）
前記（２）に記載の光源制御装置であって、
前記個々のドライバは、前記直線で近似される関数として、複数の駆動領域に対応して設定された複数の直線領域で近似される関数を用いるように構成される
光源制御装置。
（５）
前記（２）または（４）に記載の光源制御装置であって、
前記個々のドライバは、前記直線の傾き、基準光量、および前記基準光量に対応する基準駆動値を既知パラメータとして、前記関数を用いるように構成される
光源制御装置。
（６）
前記（５）に記載の光源制御装置であって、
前記個々のドライバは、前記既知パラメータのうち前記直線の傾きおよび前記基準光量に基づく演算値を、前記コントローラから取得、または予め記憶するように構成される
光源制御装置。
（７）
前記（１）から（６）のうちいずれか１項に記載の光源制御装置であって、
前記コントローラは、所定の条件に基づき、前記関数を更新するように構成される
光源制御装置。
（８）
前記（１）から（７）のうちいずれか１項に記載の光源制御装置であって、
前記コントローラは、前記複数のドライバに、前記指令値を同報するように構成される
光源制御装置。
（９）
前記（１）から（８）のうちいずれか１項に記載の光源制御装置であって、
前記複数のドライバは、
前記発光部のうち第１波長域で発光する複数の発光部をそれぞれ駆動するように構成された複数の第１波長域発光用ドライバと、
前記発光部のうち、前記第１波長域とは異なる第２波長域で発光する複数の発光部をそれぞれ駆動するように構成された複数の第２波長域発光用ドライバとを含み、
前記コントローラは、前記複数の第１波長域発光用ドライバに第１指令値を送信し、前記複数の第１波長域発光用ドライバに第２指令値を送信するように構成される
光源制御装置。
（１０）
前記（１）から（９）のうちいずれか１項に記載の光源制御装置であって、
前記発光部は、第１発光部と第２発光部とを含み、
前記複数のドライバは、
基準ラインにおける基準電位と、第１ラインにおける、前記基準電位より高い電位との間の電圧を生成して、前記基準ラインと前記第１ラインとの間に接続された前記第１発光部を駆動するように構成され、前記基準ラインおよび前記第１ラインに接続可能な第１ドライバと、
前記基準電位と、第２ラインにおける、前記基準電位より低い電位との間の電圧を生成して、前記基準ラインと前記第２ラインとの間に接続された前記第２発光部を駆動するように構成され、前記基準ラインおよび前記第２ラインに接続可能な第２ドライバとを含む
光源制御装置。
（１１）
前記（１０）に記載の光源制御装置であって、
前記第１ドライバおよび前記第２ドライバは、前記基準電位としてゼロボルトの電位を使用するように構成される
光源制御装置。
（１２）
前記（１０）または（１１）に記載の光源制御装置であって、
前記基準電位が一定電位に設定され、
前記第２ドライバは、前記基準電位より低い側の電位を調整することで、前記駆動値を調整するように構成される
光源制御装置。
（１３）
前記（１２）に記載の光源制御装置であって、
前記第１ドライバは、前記基準電位より高い側の電位を調整することで、前記駆動値を調整するように構成される
光源制御装置。
（１４）
前記（１０）から（１３）のうちいずれか１項に記載の光源制御装置であって、
前記第１発光部のアノードを前記基準ラインに接続させ、かつ、前記第１発光部のカソードを前記第２ラインに接続させるように、前記第１発光部の接続先を変える変更部
をさらに具備する光源制御装置。
（１５）
前記（１０）から（１３）のうちいずれか１項に記載の光源制御装置であって、
前記第２発光部のカソードを前記基準ラインに接続させ、かつ、前記第２発光部のアノードを前記第１ラインに接続させるように、前記第２発光部の接続先を変える変更部
をさらに具備する光源制御装置。
（１６）
前記（１０）から（１５）のうちいずれか１項に記載の光源制御装置であって、
前記基準ラインのうち、前記コントローラに接続されるライン、および前記複数のドライバに接続されるラインのうち少なくとも一方に設けられた抵抗素子
をさらに具備する光源制御装置。
（１７）
少なくとも１つの発光部の光量の調整に関する指令値をコントローラにより送信し、
送信された前記指令値を複数のドライバによりそれぞれ取得し、
前記発光部ごとに設定された、前記発光部を駆動する駆動値と前記光量との関数を用いて、前記指令値に基づき、前記発光部ごとの前記駆動値を前記複数のドライバによりそれぞれ決定する
光源制御方法。
（１８）
基準ラインにおける基準電位と、第１ラインにおける、前記基準電位より高い電位との間の電圧を生成することで、前記基準ラインと前記第１ラインとの間に接続された第１発光部を駆動するように構成され、前記基準ラインおよび前記第１ラインに接続可能な第１ドライバと、
前記基準電位と、第２ラインにおける、前記基準電位より低い電位との間の電圧を生成することで、前記基準ラインと前記第２ラインとの間に接続された第２発光部を駆動するように構成され、前記基準ラインおよび前記第２ラインに接続可能な第２ドライバと、
前記基準ライン、前記第１ドライバおよび前記第２ドライバに接続可能であり、前記第１ドライバおよび前記第２ドライバを制御するように構成されたコントローラユニットと
を具備する光源制御装置。
（１９）
前記（１８）に記載の光源制御装置であって、
前記第１ドライバおよび前記第２ドライバは、前記基準電位としてゼロボルトの電位を使用するように構成される
光源制御装置。
（２０）
前記（１８）または（１９）に記載の光源制御装置であって、
前記基準電位が一定電位に設定され、
前記第２ドライバは、前記基準電位より低い側の電位を調整することで、前記駆動値を調整するように構成される
光源制御装置。
（２１）
前記（２０）に記載の光源制御装置であって、
前記第１ドライバは、前記基準電位より低い側の電位を調整することで、前記駆動値を調整するように構成される
光源制御装置。
（２２）
前記（１８）から（２１）のうちいずれか１項に記載の光源制御装置であって、
前記第１発光部のアノードを前記基準ラインに接続させ、かつ、前記第１発光部のカソードを前記第２ラインに接続させるように、前記第１発光部の接続先を変える変更部
をさらに具備する光源制御装置。
（２３）
前記（１８）から（２１）のうちいずれか１項に記載の光源制御装置であって、
前記第２発光部のカソードを前記基準ラインに接続させ、かつ、前記第２発光部のアノードを前記第１ラインに接続させるように、前記第２発光部の接続先を変える変更部
をさらに具備する光源制御装置。
（２４）
前記（１８）から（２３）のうちいずれか１項に記載の光源制御装置であって、
前記基準ラインのうち、前記コントローラに接続されるライン、および前記複数のドライバに接続されるラインのうち少なくとも一方に設けられた抵抗素子
をさらに具備する光源制御装置。
（２５）
基準ラインにおける基準電位と、第１ラインにおける、前記基準電位より高い電位との間の電圧を生成し、前記基準ラインと前記第１ラインとの間に接続された第１発光部を駆動するように構成され、前記基準ラインおよび前記第１ラインに接続可能な第１ドライバと、
前記基準電位と、第２ラインにおける、前記基準電位より低い電位との間の電圧を生成し、前記基準ラインと前記第２ラインとの間に接続された第２発光部を駆動するように構成され、前記基準ラインおよび前記第２ラインに接続可能な第２ドライバと
を具備するドライバユニット。
（２６）
基準ラインと第１ラインとの間に接続され、前記基準ラインにおける基準電位と、前記第１ラインにおける、前記基準電位より高い電位との間に生成される電圧による電流で駆動される第１発光部と、
前記基準ラインと第２ラインとの間に接続され、前記基準ラインにおける基準電位と、前記第２ラインにおける、前記基準電位より低い電位との間に生成される電圧による電流で駆動される第２発光部と
を具備する光源ユニット。
（２７）
複数の発光部と、
前記複数の発光部からの光を変調する光変調素子と、
前記光変調素子で変調されて得られる変調光を投射する投射光学系と、
前記複数の発光部を構成する個々の発光部の光量の調整に関する指令値を送信するように構成されたコントローラと、
送信された前記指令値をそれぞれ取得し、前記発光部ごとに設定された、前記発光部を駆動する駆動値と前記光量との関数を用いて、前記指令値に基づき、前記発光部ごとの前記駆動値をそれぞれ決定するように構成された複数のドライバと
を具備するプロジェクタ。
（２８）
前記（２７）に記載のプロジェクタであって、
前記複数の発光部は、
基準ラインと第１ラインとの間に接続された第１発光部と、
前記基準ラインと第２ラインとの間に接続された第２発光部とを含み、
前記複数のドライバは、
前記基準ラインにおける基準電位と、前記第１ラインにおける、前記基準電位より高い電位との間の電圧を生成して、前記第１発光部を駆動するように構成され、前記基準ラインおよび前記第１ラインに接続された第１ドライバと、
前記基準電位と、第２ラインにおける、前記基準電位より低い電位との間の電圧を生成して、前記第２発光部を駆動するように構成され、前記基準ラインおよび前記第２ラインに接続された第２ドライバとを含む
プロジェクタ。
（２９）
基準ラインと第１ラインとの間に接続された第１発光部と、前記基準ラインと第２ラインとの間に接続された第２発光部とを含む複数の発光部と、
前記複数の発光部からの光を変調する光変調素子と、
前記光変調素子で変調されて得られる変調光を投射する投射光学系と、
前記基準ラインにおける基準電位と、前記第１ラインにおける、前記基準電位より高い電位との間の電圧を生成して、前記第１発光部を駆動するように構成され、前記基準ラインおよび前記第１ラインに接続された第１ドライバと、前記基準電位と、第２ラインにおける、前記基準電位より低い電位との間の電圧を生成して、前記第２発光部を駆動するように構成され、前記基準ラインおよび前記第２ラインに接続された第２ドライバとを含むドライバユニットと、
前記基準ライン、前記第１ドライバおよび前記第２ドライバに接続可能であり、前記第１ドライバおよび前記第２ドライバを制御するように構成されたコントローラユニットと
を具備するプロジェクタ。
【符号の説明】
【０１５８】
２０…コントローラ
３０…ドライバ
３１…第１ドライバ
３２…第２ドライバ
４０…発光部
４０ａ…第１発光部
４０ｂ…第２発光部
４２…発光素子
５０、５０Ｒ、５０Ｇ、５０Ｂ、５０Ａ、５０Ｂ…光源（光源ユニット）
５１…正電源ライン
５２…負電源ライン
５９…グランドライン
１０１、１０２…光源制御装置
１２０…コントローラユニット
１５０…ドライバユニット
２１０…光変調素子
５００…プロジェクタ
【図１】
2016213171.tif 000003
【図２】
2016213171.tif 000004
【図３】
2016213171.tif 000005
【図４】
2016213171.tif 000006
【図５】
2016213171.tif 000007
【図６】
2016213171.tif 000008
【図７】
2016213171.tif 000009
【図８】
2016213171.tif 000010
【図９】
2016213171.tif 000011
【図１０】
2016213171.tif 000012
【図１１】
2016213171.tif 000013